(57)【特許請求の範囲】
【請求項１】
マット又は布団が敷かれる載置面と、載置面の下方に配置された光源と、光源を取り囲む閉鎖空間を載置面の直下に区画形成するサイドメンバーを備え、
光源の点灯によって暖められた閉鎖空間の内部の空気が上昇して載置面を通過し、
載置面に敷かれたマット又は布団が載置面を通過する空気で乾燥されるようにしたベッドであって、
前記光源としてＬＥＤ素子を設けたことを特徴とするベッド。
【請求項２】
前記光源がＬＥＤランプであることを特徴とする請求項１に記載のベッド。
【請求項３】
前記サイドメンバーに前記光源の光が閉鎖空間の外部に漏洩する漏洩部を設けたことを特徴とする請求項１又は２に記載のベッド。
【発明の詳細な説明】
【技術分野】
【０００１】
本発明は、ベッドに関し、より詳しくはベッドに敷かれたマット又は布団を乾燥できるベッドに関する。
【背景技術】
【０００２】
この種のベッドの一形式として、特開２００６−３４６３９２号公報には、マット又は布団が敷かれる載置面と、載置面の下方に閉鎖空間を区画形成するように載置面の周囲を囲うサイドメンバーから成るベッドフレームを備え、ベッドフレームの外部に送風機を設置したベッドが開示されている。このベッドでは、送風機からパイプを通して閉鎖空間内部に冷風又は温風を送風し、載置面に敷いたマット又は布団を乾燥することができる。
【先行技術文献】
【特許文献】
【０００３】
【特許文献１】特開２００６−３４６３９２号公報
【発明の概要】
【発明が解決しようとする課題】
【０００４】
上記した従来のベッドはベッドフレームの外に送風機を設置し、送風機とベッドフレームの下方の閉鎖空間をパイプで接続しているので、送風機やパイプによって、ベッドが置かれた室内の有効スペースが狭められてしまう。また、送風機の他に空気を加熱して温風にするための熱源が必要となり、製造コストが高くなる。
本発明はかかる問題点に鑑みてなされたものであって、構造が簡単で製造コストが低く、ベッドが置かれた室内の有効スペースを狭めることのなく、マットや布団を乾燥できるベッドを提供することを目的とする。
【課題を解決するための手段】
【０００５】
請求項１に記載の発明に係るベッドは、マット又は布団が敷かれる載置面と、載置面の下方に配置された光源と、光源を取り囲む閉鎖空間を載置面の直下に区画形成するサイドメンバーを備え、
光源の点灯によって暖められた閉鎖空間の内部の空気が上昇して載置面を通過し、
載置面に敷かれたマット又は布団が載置面を通過する空気で乾燥されるようにしたベッドであって、
前記光源としてＬＥＤ素子を設けたことを特徴とする。
【０００６】
請求項２に記載のベッドは、請求項１に記載のベッドにおいて、前記光源がＬＥＤランプであることを特徴とする。
【０００７】
請求項３に記載の発明は、請求項１又は２に記載のベッドにおいて、前記サイドメンバーに前記光源の光が閉鎖空間の外部に漏洩する漏洩部を設けたことを特徴とする。
【発明の効果】
【０００８】
請求項１に記載の発明に係るベッドは、光源を点灯すると、その発熱で閉鎖空間の空気が暖められて上昇し、載置面を通過するので、載置面に敷かれたマット又は布団が暖められた空気に曝されて乾燥される。
請求項１に記載の発明に係るベッドは、載置面の直下にサイドメンバーで閉鎖空間を形成し、その中に光源を設けた簡単な構造のため、低コストで製造できる。また、ベッドの置かれた室内の有効スペースを狭めることもない。閉鎖空間から上昇して載置面に敷いたマット又は布団に当る空気中の塵埃がマットや布団に吸着されるので、ベッドが置かれた室内の空気を清浄できる。
【０００９】
請求項１及び請求項２に係るベッドによれば、光源としてＬＥＤ素子又はＬＥＤ電球を用いるので、消費電力を節約できる。
【００１０】
請求項３に記載の発明によれば、漏洩部から洩れる光源の光を目視することで、光源が点灯してマット又は布団を乾燥中であることを知ることができる。
【図面の簡単な説明】
【００１１】
【図１】本発明の第１実施例に係るベッドを示す分解斜視図である。
【図２】同ベッドを示す斜視図である。
【図３】本発明の第２実施例に係るベッドを示す斜視図である。
【図４】本発明の第３実施例に係るベッドを示す斜視図である。
【図５】本発明の第４実施例に係るベッドを示す斜視図である。
【実施例１】
【００１２】
以下に本発明を図面に基づき説明する。図１及び図２には本発明の第１実施例に係るベッド１０が示されている。当該ベッド１０は、ベッドフレーム１１、花粉除去フィルターシート１２及びマット１３を備えている。ベッドフレーム１１は前板１１ａ、左右一対の側板１１ｂ，１１ｃ、後板１１ｄ、敷板１１ｅ、支持板１１ｆ、ＬＥＤチップを発光素子として内蔵するＬＥＤ電球１４から成り、前板１１ａ、左右一対の側板１１ｂ，１１ｃ、及び後板１１ｄを矩形に組み付けてサイドメンバーが構成されている。敷板１１ｅは側板１１ｂ，１１ｃの間に架け渡されて、マット１３が敷かれる簀子状の載置面を形成している。支持板１１ｆは前１１ａ板と後板１１ｄの間に架け渡されて敷板１１ｅの中央部を支持されている。この支持板１１ｆにＬＥＤ電球１４が取り付けられている。そして、前板１１ａ、左右一対の側板１１ｂ，１１ｃ、後板１１ｄから成るサイドメンバーによって、載置面の下方に配置したＬＥＤ電球１４を取り囲む閉鎖空間Ｓが載置面の直下に区画形成されている。この閉鎖空間Ｓは上下両面が開放されている。
【００１３】
サイドメンバーの側板１１ｂには小窓１１ｇが形成されている。後板１１ｄには、ＬＥＤ電球１４を点灯したり消灯するヒートスイッチ１５、閉鎖空間Ｓの外部から内部に空気を送風する電動ファン１６、電動ファン１６の稼動時間を適宜設定するためのタイマー１７、ＬＥＤ電球１４と電動ファン１６へ電力を供給したり遮断するメインスイッチ１８が取り付けられている。
【００１４】
第１実施例に係るベッド１０の構造は以上の通りであって、このベッド１０を使うときは図１に示すように敷板１１ｅの上に花粉除去フィルターシート１２を敷き、その上にマット１３、敷布団１９、掛け布団２０を敷く。このベッド１０を床に置くと、閉鎖空間Ｓの下面が床で閉じられる。なお、符号２１は枕である。
【００１５】
第１実施例に係るベッド１０によれば、ＬＥＤ電球１４を点灯すると、床で下面が閉じられた閉鎖空間Ｓ内の空気がＬＥＤ電球１４の発熱で暖められて上昇し、順に敷板１１ｅ、花粉除去フィルターシート１２、マット１３を通過して布団１９，２０に達する。この暖められた空気によってマット１３及び布団１９，２０が乾燥される。
【００１６】
このベッド１０は、敷板１１ｅの直下にサイドメンバーで閉鎖空間Ｓを形成し、その中にＬＥＤ電球１４を設けた簡単な構造であるので、低コストで製造できる。また、ベッド１０の置かれた室内の有効スペースを狭めることもない。閉鎖空間Ｓから上昇して、敷板１１ｅに敷いたマット１３及び布団１９，２０に当る空気中の塵埃がマット１３や布団１９，２０に吸着されるので、ベッド１０が置かれた室内の空気を清浄できる。
【００１７】
閉鎖空間Ｓに外部から電動ファン１６で強制的に空気が送り込まれるので、ベッド１０が置かれた室内の空気を効率的に清浄できる。電動ファン１６の稼動時間をタイマー１７で設定できるので、電動ファン１６の停止忘れを防止でき、使い勝手が良い。
【００１８】
花粉除去フィルターシート１２を敷板１１ｅとマット１３の間に敷いたので、空気中の塵埃だけでなく、花粉も除去でき、室内の空気がより清浄できる。
【００１９】
小窓１１ｇから洩れるＬＥＤ電球１４の光を目視することで、ＬＥＤ電球１４が点灯していることを知ることができる。光源としてＬＥＤ素子１４を用いるので、消費電力を節約できる。
【実施例２】
【００２０】
本発明の第２実施例に係るベッド３０を図３に示す。当該ベッド３０のベッドフレーム１１を構成する側板１１ｂの下端部には、布、紙、アクリル等の樹脂、ガラス等の光透過材３１が組み付けられている。このベッド３０によれば、ベッドフレーム１１の内部に設けたＬＥＤ電球１４が点灯していることを光透過材３１を透過する光で知ることができる。
なお、第２実施例に係るベッド３０の他の構成は第１実施例に係るベッド１０と同じであるので、同一の構成要素に同一の符号を付して説明を省略する。
【実施例３】
【００２１】
本発明の第３実施例に係るベッド４０を図４に示す。当該ベッド４０のベッドフレーム１１を構成する側板１１ｂの下端部には、下端部を切り欠いてスリット１１ｈが形成されている。このベッド４０によれば、ベッドフレーム１１の内部に設けたＬＥＤ電球１４が点灯していることを、スリット１１ｈから洩れ出光で知ることができる。
なお、第３実施例に係るベッド４０の他の構成は第１実施例に係るベッド１０と同じであるので、同一の構成要素に同一の符号を付して説明を省略する。
【実施例４】
【００２２】
本発明の第４実施例に係るベッド５０を図５に示す。当該ベッド５０では、閉鎖空間Ｓを区画形成するベッドフレーム１１の一部にフィルム材や布等のシート材１１ｉが用いられている。また、閉鎖空間Ｓに空気を送り込む電動ファン１６が省略されている。このベッド５０によれば、ベッドフレーム１１の内部のＬＥＤ電球１４を点灯して空気を暖めると、暖められた空気の上昇に伴い、シート材１１ｉの下端部と床との間の隙間を通って空気が閉鎖空間Ｓの外から内部へ流入する。また、シート材１１ｉの下端部と床との間の隙間から洩れ出る光でＬＥＤ電球１４が点灯中であることを知ることができる。
なお、第４実施例に係るベッド５０の他の構成は第１実施例に係るベッド１０と同じであるので、同一の構成要素に同一の符号を付して説明を省略する。
【００２３】
上記第１〜第４実施例に係るベッド１０，３０，４０，５０は光源としてＬＥＤ電球１４を設けたが、波長２６０nm付近の紫外線を多く発光する殺菌灯、オゾン生成作用をもつ１８５nmの紫外線を透過する石英ガラスを用いた消臭灯、若しくはＬＥＤランプ１４と殺菌等と消臭灯を適宜組み合わせて光源としても良い。殺菌灯を用いることにより、空気の清浄効果を高めることができる。また、消臭灯を用いることにより、より空気の清浄効果を高めることができる。
【００２４】
上記第１〜第４実施例に係るベッド１０，３０，４０はタイマー１７で電動ファン１６の稼動時間を設定しているが、ＬＥＤ電球１４等の光源の点灯時間をタイマー１７で設定することにより、光源の消し忘れを防止できる。また、花粉除去シート１２の他、ＰＭ２.５の微粒子を除去できるフィルターシートを敷けば、より空気を清浄にできる。
【符号の説明】
【００２５】
１０，３０，４０，５０…ベッド
１１…ベッドフレーム
１１ｇ…小窓
１２…花粉除去フィルターシート
１３…マット
１４…ＬＥＤ電球
１５…ヒートスイッチ
１６…電動ファン
１７…タイマー
１８…メインスイッチ
１９…敷布団
２０…掛け布団
Ｓ…閉鎖空間
【図１】
0005961800.tif 000002
【図２】
0005961800.tif 000003
【図３】
0005961800.tif 000004
【図４】
0005961800.tif 000005
【図５】
0005961800.tif 000006